(57)【要約】【課題】記憶手段の空き容量の不足に伴い削除対象とするコンテンツを決定する際に、コンテンツの残存コピー可能回数が考慮されないことによりユーザがコピーの実施を望むコンテンツが削除されてしまう。【解決手段】記録再生装置は、内蔵する記憶手段の空き容量値と閾値を比較し、空き容量が不足しているか否かを判定する。容量不足と判定されると、外部に接続された他の記録装置が記憶手段にあるコンテンツを転送できる状態にあることを確認する。記録再生装置は、他の記録装置へ移動するため複数のコンテンツの優先順位を各コンテンツの残存コピー可能回数により決定し、その優先度順位に基づきコンテンツの移動を実施する。【選択図】  図１
2010109493.tif 000002
【特許請求の範囲】
【請求項１】
入力部から入力された１以上のコンテンツの記録および記録したコンテンツの外部装置への移動が可能なコンテンツ記録装置であって、
コンテンツが記録される記憶部の空き容量値と所定の閾値とを比較し、空き容量が不足しているか判定する空き容量判断手段と、
前記空き容量判断手段により前記空き容量値が前記閾値より小さいと判断される場合に、前記コンテンツ記録装置に接続された前記外部装置の動作状態を検出する状態検出手段と、
前記記憶部に記録されたコンテンツを前記外部装置へ移動する際の、各コンテンツに対する移動の優先度を各コンテンツの残存コピー可能回数に基づき決定する移動優先度決定手段と、
前記状態検出手段により検出された前記外部装置の動作状態がコンテンツの移動に対し準備完了状態のとき、前記優先度に従った順番で１以上のコンテンツを前記外部装置へ移動するコンテンツ移動手段と、
を備えることを特徴とするコンテンツ記録装置。
【請求項２】
前記記録装置は、更に
前記コンテンツとともに受信したコピーワンス、ダビング１０、または他の装置からのコピー、のコンテンツ属性情報に基づいて判定するコンテンツ属性判定手段を備え、
前記移動優先度決定手段は、前記コンテンツに対する移動の優先度をコンテンツの前記残存コピー可能回数および前記コンテンツ属性情報より決定することを特徴とする請求項１に記載のコンテンツ記録装置。
【請求項３】
コンテンツの、前記残存コピー可能回数と再生された日時とコピーされた日時との履歴に基づき、コンテンツに対する移動、コピーおよび削除のいずれかの処理を行うかを決定する処理決定手段を更に有することを特徴とする請求項２のコンテンツ記録装置。
【請求項４】
入力部から入力されたコンテンツの記録および記録したコンテンツの外部装置への移動を可能な方法であって、
コンテンツが記録される記憶部の空き容量値と所定の閾値とを比較し、空き容量が不足しているか判定するステップと、
前記空き容量値が前記閾値より小さいと判断される場合に、前記記憶部に接続された前記外部装置の動作状態を検出するステップと、
前記記憶部に記録されたコンテンツを前記外部装置へ移動する際の、各コンテンツに対する移動の優先度を各コンテンツの残存コピー可能回数に基づき決定するステップと、
前記検出された前記外部装置の動作状態がコンテンツの移動に対し準備完了状態のとき、前記優先度に従った順番で１以上のコンテンツを前記外部装置へ移動するステップと、を備える方法。
【請求項５】
請求項４に記載の方法における各ステップをコンピュータにより実行させるためのコンピュータプログラム。
【請求項６】
請求項４に記載の方法における各ステップをコンピュータにより実行させるためのコンピュータプログラムを格納したコンピュータが読み取り可能な記憶媒体。
【発明の詳細な説明】
【技術分野】
【０００１】
本発明は、ハードディスク等の記憶装置（記憶媒体）に記録されている放送コンテンツの保存の要否を管理する記録再生装置およびその制御方法に関する。
【背景技術】
【０００２】
近年、映像データや音声データなどを記録再生するＡＶ機器として、磁気テープや光ディスク、メモリカードの記憶媒体だけでなく、大容量のハードディスクを備えた記録再生装置が開発されている。
【０００３】
それら記録再生装置の中には、大容量ハードディスクを備え、多くのコンテンツ（放送番組データ）を大容量ハードディスクに蓄積することが可能な記録再生装置がある。記録再生装置に大容量ハードディスクを用いると、従来のように磁気テープや光ディスクなどの記憶媒体をいくつも用意する必要がなくなる。従って大容量ハードディスクを用いた記録再生装置は、録画や録画したコンテンツの管理を行う上で、ユーザに大きな利便性を与える。一方、ハードディスクの容量が大きくなると、ユーザが大容量ハードディスク内の全記録番組データの内容を把握することが難しくなってきている。
【０００４】
ユーザが、大容量ハードディスクに記録されている全番組データを把握できないことから、不要なコンテンツもハードディスク内に蓄積されていることもあり得る。ハードディスク容量が一杯になった際には、ユーザは録画された莫大な番組データの中から不要な番組データを選択して削除する必要がある。しかし、ユーザは記録されている全番組データを把握できていないため、不要な番組データを選択して削除することは、大きな負担となる。
【０００５】
この負担を軽減するため、特許文献１では、記録された日時が記録再生装置内で最も古いコンテンツを選択し削除することにより記憶部の空き容量を増やしている。また特許文献２では、コンテンツの再生回数、記録日時、一回の再生における再生時間等の情報を用いて、コンテンツを選択し削除することにより記憶部の空き容量を増やしている。
【特許文献１】特開２００７−３１２０４２号公報
【特許文献２】特開２００５−０３８４７８号公報
【発明の開示】
【発明が解決しようとする課題】
【０００６】
総務省の情報通信審議会で提案されたデジタル放送の私的利用に関する運用ルールに対し、電子情報技術産業協会（ＪＥＩＴＡ）が定めた統一呼称であるダビング１０が、２００７年１２月に正式に公表された。
【０００７】
ダビング１０は、地上デジタル放送の録画番組のコピーに関する新しいルールである。ハードディスクレコーダーやパソコンなどで録画した放送番組に対して、コピー９回と別の記録メディアへの移動（ムーブ）１回が許可される。
【０００８】
ただし、規格上、残存コピー可能回数を複数回分保持するコンテンツが他の記録装置へ移動されると、残存コピー可能回数が０回となる制限がある。しかし、従来の一度のコピーしか認められなかった「コピーワンス」から大幅に条件が緩和され、ダビング１０により残存コピー可能回数というコンテンツに対する新たなユーザの権利が付与されることになった。
【０００９】
すでに述べた先行技術の方法でコンテンツの削除が行われると、ダビング１０で記録されたコンテンツは、多くの回数分のコピー可能な権利を残したまま、削除されてしまうという問題が起きる。すなわち、従来の削除方法は、コンテンツの残存コピー可能回数などが考慮していないため、多くの回数分のコピー可能な権利が残っているコンテンツも削除してしまう。
【００１０】
本発明は、ユーザのコピーの権利を極力損なわず記憶部に記録されたコンテンツを削除することにより記憶部の空き容量を増やすことができる、映像音声データの記録再生装置およびその制御方法を提供することを目的とする。
【課題を解決するための手段】
【００１１】
上述した課題を解決するため、記録再生装置は、内蔵する記憶部の空き容量値と所定の閾値を比較し、空き容量が不足しているか否かを判定する。容量不足と判定されると、外部に接続された他の記録装置が記憶部にあるコンテンツを転送できる状態にあることを確認する。記録再生装置は、他の記録装置へ移動するため複数のコンテンツの優先順位を各コンテンツの残存コピー可能回数により決定し、その優先度順位に基づきコンテンツの移動を実施する。
【００１２】
より詳しく言えば、入力部から入力された１以上のコンテンツの記録および記録したコンテンツの外部装置への移動が可能なコンテンツ記録装置であって、コンテンツが記録される記憶部の空き容量値と所定の閾値とを比較し、空き容量が不足しているか判定する空き容量判断手段と、空き容量判断手段により空き容量値が閾値より小さいと判断される場合に、コンテンツ記録装置に接続された外部装置の動作状態を検出する状態検出手段と、記録部に記録されたコンテンツを外部装置へ移動する際の、各コンテンツに対する移動の優先度を各コンテンツの残存コピー可能回数に基づき決定する移動優先度決定手段と、状態検出手段により検出された外部装置の動作状態がコンテンツの移動に対し準備完了状態のとき、優先度に従った順番で１以上のコンテンツを外部装置へ移動するコンテンツ移動手段とを備えることを特徴とする。
【発明の効果】
【００１３】
本発明によれば、記録再生装置は残存コピー可能回数を考慮して移動対象コンテンツを選択し削除することで、記憶部の空き容量を増やすことができるので、ユーザはコンテンツをコピーする権利を最大限保持することを可能にする。
【発明を実施するための最良の形態】
【００１４】
＜実施形態１＞
本発明を実施するための実施形態１について、図面を参照して詳細に説明する。
【００１５】
（記録再生装置の構成）
図１は、本発明の実施形態１における記録再生装置１００の構成を示すブロック図である。
【００１６】
アンテナ１０１は、入力部として放送局からのデジタル放送の電波を受信し、その電波に基づいた信号をチューナ１０２に出力する。
【００１７】
チューナ１０２は、アンテナ１０１からの信号を記憶部が記録可能な形式に変換する。
【００１８】
記録部１０３は、チューナ１０２から出力されたコンテンツ、およびコンテンツについてのコピー情報を含む管理情報を記憶部であるＨＤＤ１０４に記録する。
【００１９】
ＨＤＤ１０４は、ハードディスクドライブ（Ｈａｒｄ  Ｄｉｓｋ  Ｄｒｉｖｅ）などの記憶部であり、放送データなどの複数のコンテンツ、および記録されているコンテンツについての管理情報を記録する。ここで言う管理情報は、ＨＤＤ１０４に記録された各コンテンツの残存コピー可能回数を表すコンテンツの属性情報である。
【００２０】
閾値格納部１１０は、ユーザＩＦ部１１１を通じてユーザが入力したコンテンツを移動して空き容量を増やすか判断するために用いるＨＤＤの空き容量の所定の閾値を保持する。
【００２１】
空き容量判断部１０５は、閾値格納部１１０に格納されている所定の閾値とＨＤＤ１０４の空き容量とを比較し、空き容量が不足しているか判断する。空き容量が不足すると判断すると、制御部１０９へ空き容量を増やす処理を実施するよう通知する。
【００２２】
移動優先度付与部１０６は、ＨＤＤ１０４に記録されているコンテンツの残存コピー可能回数を取得し、移動対象とするコンテンツの優先度を計算し、ＨＤＤ１０４の管理情報に追加して付与する。
【００２３】
通信ＩＦ部１０７は接続する記録再生装置と通信し、接続する装置の情報の取得やコンテンツの転送を行う。
【００２４】
接続装置検出部１０８は、制御部１０９からネットワークに通信可能な他の記録再生装置が存在するかの問合せに対して通信ＩＦ部１０７へネットワーク上の装置検索要求を通知し、状態検出の結果を制御部１０９へ通知する。
【００２５】
制御部１０９は、空き容量判断部１０５からの通知およびユーザＩＦ部１１１からのユーザの要求により、接続装置検出部１０８と接続された他の装置を検出するための検出命令を送信する。また、制御部１０９は、表示部１１２へ削除するコンテンツなどの情報を送る。また、制御部はコンテンツ移動部１１４へＨＤＤ１０４に記録されたコンテンツの移動命令を送信する。
【００２６】
ユーザＩＦ部１１１は、移動の優先度に従ってコンテンツを移動する順番を提示し、ユーザによる判定結果を受け取り、制御部１０９へコンテンツ情報を送る。
【００２７】
表示部１１２は、制御部１０９からのデータに従いユーザに対して情報を表示する。
【００２８】
再生部１１３は、ＨＤＤ１０４に記録されているコンテンツを復号化して出力する。
【００２９】
コンテンツ移動部１１４は、制御部１０９から通知されたＨＤＤ１０４に記録されているコンテンツを通信ＩＦ部１０７へ送る。
【００３０】
（記録再生装置の動作フロー）
次に、実施形態１の記録再生装置の動作を説明する。
【００３１】
図２は、コンテンツ記録を行う録画再生装置において１以上のコンテンツを録画する動作を説明する為のフローチャートを示す図である。
【００３２】
ステップＳ２０１において、空き容量判断部１０５は、録画の開始要求が発生するとコンテンツが記録されているＨＤＤの空き容量値と閾値格納部１１０に格納されている閾値とを比較する。閾値よりも空き容量値が大きい場合は処理を実行せず終了する。閾値よりも空き容量値が小さい場合は、ネットワークで接続される他の記録再生装置を検出するために制御部１０９に検出命令を送信する。
【００３３】
ステップＳ２０２において、制御部１０９は、空き容量判断部１０５からの空き容量不足の通知を受けると、接続装置検出部１０８に対してネットワーク上に接続されている外部にある他の記録装置への問い合わせをさせる。この問い合わせは、外部の記録装置の動作状態がコンテンツの移動に対して準備完了であるか否かを検出することで行われる。このようにして接続装置検出部１０８は、通信ＩＦ部１０７を通じ他の記録装置の動作状態を検出する為の通信を実施し、検出結果を制御部１０９へ返す。接続する装置が検出されなかった場合、接続装置検出部１０８は制御部１０９へ通知し、ステップ２１０へ進む。外部の記録装置が検出された場合、制御部１０９は移動優先度付与部１０６に通知し、ステップ２０３へ進む。
【００３４】
ステップＳ２０３において、移動優先度決定手段である移動優先度付与部１０６は、ＨＤＤ１０４に記録されている各コンテンツを残存コピー可能回数の少ない順に移動優先度を高く設定して、その優先度を各コンテンツ付与する。次に、制御部１０９はコンテンツ移動部１１４へコンテンツの移動命令を送り、ステップＳ２０５に進む。ここで、残存コピー可能回数が少ないコンテンツに移動の優先度を高く設定する理由は、既に何回かコピーを実施し、記録メディアにコンテンツを記録している可能性が高い。従って、移動により他の記録装置へ移動しても視聴の制限には繋がらずユーザへの不利益は最小限に抑えられると考えられる。また、コンテンツを移動すると必ず残存コピー可能回数は０回となってしまう。従って、残存コピー可能回数の多いコンテンツを移動することは、ユーザが保持していた残存コピー可能回数の権利を大幅に削減してしまう可能性がある。
【００３５】
ステップＳ２０４において、コンテンツ移動部１１４は、Ｓ２０３で設定した優先度に基づき、最も高い移動の優先度を有するコンテンツを選択し、ステップＳ２０５へ進む。
【００３６】
ステップＳ２０５において、制御部１０９は、選択したコンテンツが、記憶部に存在するか判定する。移動対象のコンテンツが記憶部にない場合、ステップ２１１に進む。移動対象のコンテンツが記憶部に存在する場合、ステップ２０６へ進む。
【００３７】
ステップＳ２０６において、表示部１１２は、ユーザに対し移動対象のコンテンツを移動するか問い合わせる。ユーザが移動しないと判定した場合、次に優先度の高いコンテンツを対象としてＳ２０５からの処理を実行する。ユーザが移動すると判定した場合、ステップＳ２０７に進む。
【００３８】
ステップＳ２０７において、コンテンツ移動部１１４は、通信ＩＦ部１０７を介しＨＤＤ１０４に記録されている対象のコンテンツを他の記録装置へ移動し、ステップＳ２０８に進む。
【００３９】
ステップ２０８において、移動完了後、空き容量判断部１０５は、空き容量値が閾値より大きいか判定する。空き容量判断部１０５が空き容量値が閾値より小さいと判定した場合、ステップＳ２０９へ進む。空き容量判断部１０５が空き容量値が閾値より大きいと判定した場合、処理を終了する。
【００４０】
ステップＳ２０９において、空き容量判断部１０５、まだ選択されていない別のコンテンツの中で次に移動優先度の高いコンテンツを選択する。そして制御部１０９は、次に移動優先度の高いコンテンツが記憶部に存在するか否かを確認し、その確認の結果そのコンテンツが存在しなければ、次に優先度のコンテンツを選択し、ステップＳ２０５からの処理を繰り返す。空き容量判断部１０５が空き容量値が閾値より大きいと判定した場合、処理を終了する。
【００４１】
ステップＳ２１０において、制御部１０９は表示部１１２を通じて接続する記録装置が検出できなかったことを伝える。そしてステップ２１１へ進む。
【００４２】
ステップＳ２１１において、表示部１１２は、記録装置の空き容量が不足していることをユーザに示し処理を終了する。
【００４３】
図３は、実施形態１における、残存コピー可能回数に基づき移動優先度付与部１０６が設定した各コンテンツの移動優先順位を示す図である。
【００４４】
ここで、放送コンテンツは、ＨＤＤ１０４に記録されているコンテンツを示す。また、残存コピー可能回数はコンテンツが保持する残存コピー可能回数を示す。
【００４５】
残存コピー可能回数が等しいコンテンツは、同等の移動優先順位が割り当てられ、移動優先順位が等しいコンテンツは、その中から任意のコンテンツを移動対象として選択してよい。
＜実施形態２＞
次に、本発明の実施形態２における構成を説明する。
【００４６】
（実施形態２の構成）
図４は、本発明の実施形態２における記録再生装置の構成を示すブロック図である。この図４における記録再生装置の構成の中で、図１と同じ機能を有するブロックの表示番号は、図１と同じ表示番号を用いている。
【００４７】
実施形態１では残存コピー可能回数０回のコンテンツは、全て優先度が等しかった。しかし、実施形態２では移動の優先度を付ける際に、残存コピー可能回数０回のコンテンツに対して、ダビング１０、コピーワンス、コピーＩＮといった属性情報から優先度が付与されることが特徴である。ここで、コピーＩＮとは、他の装置からコピー、または移動（ムーブ）により記録再生装置に記録されることを示す。コピーＩＮコンテンツはコピーワンスコンテンツと同様に、コピー（複製）することはできず他の装置への移動のみが可能である。これは、他の装置からコピーもしくは移動されたコンテンツは、規格上残存コピー可能回数は０となる為である。
【００４８】
実施形態２における記録再生装置２００は、実施形態１による記録再生装置の構成に加えて、コンテンツ属性判定手段であるコンテンツ属性判定部４０１を有する。ここでは、図１の構成における機能ブロックと同一のブロックの説明は省略する。
【００４９】
コンテンツ属性判定部４０１は、記録部１０３で解析した放送波からコンテンツがダビング１０・コンテンツかコピーワンス・コンテンツかを判定し、その判定結果をＨＤＤ１０４の管理情報に付与する。また、コンテンツ属性判定部４０１は、通信ＩＦ部１０７からＨＤＤ１０４にコンテンツがコピーされた場合に、コピーＩＮ情報をＨＤＤ１０４の管理情報に付与する。      
【００５０】
更に、コンテンツ属性判定部４０１は、通信ＩＦ部１０７より他の装置からコピーされたコンテンツに対してコピーＩＮを示す情報を管理情報に付与する。
【００５１】
移動優先度付与部１０６は、ＨＤＤ１０４内のコンテンツに対する管理情報から属性情報も取得し、残存コピー可能回数に加えて、残存コピー可能回数０回のコンテンツに対して属性情報から優先度を付ける。
【００５２】
ＨＤＤ１０４に記録される管理情報は、ＨＤＤ１０４に記録された各コンテンツの残存コピー可能回数とコンテンツ属性判定部４０１の結果であるコンテンツ属性とで構成される。ここで、属性情報としてダビング１０、コピーＩＮ、コピーワンスの３種類が挙げられる。
【００５３】
残存コピー可能回数０回のダビング１０コンテンツは、コピーを９回実施し残存コピー可能回数０回となったダビング１０コンテンツである。また、残存コピー可能回数０回のコピーＩＮコンテンツは、他の記録再生装置で記録したコンテンツをコピーや移動により移動してきたコンテンツである。更に、残存コピー可能回数０回のコピーワンスコンテンツは、自記録再生装置で記録したコピーワンスコンテンツである。
【００５４】
コンテンツの移動について、本発明は移動の失敗によるコンテンツの消失の恐れや他の記録再生装置からコピーＩＮしたユーザの希望も考慮する。すなわち、コンテンツの移動は、なるべくユーザにとって重要でないコンテンツを選択することが望ましい。
【００５５】
そこで、移動優先度付与部１０６は、残存コピー可能回数０回のコンテンツの属性情報優先度をコピーワンスコンテンツについて移動の優先度を最も高く設定する。そして、コピーＩＮコンテンツについて移動の優先度を次に高く設定し、残存コピー可能回数が０回となったダビング１０コンテンツについて移動の優先度を最も低く設定する。
【００５６】
次に、実施形態２の記録再生装置の動作を説明する。
【００５７】
（記録再生装置の動作フロー）
図５は、実施形態２の録画再生装置におけるコンテンツを録画する動作を説明するフローチャートを示す図である。
【００５８】
ステップＳ５０１において、空き容量判断部１０５は、録画の開始要求が発生するとコンテンツが記録されているＨＤＤの空き容量値と閾値格納部１１０に格納されている所定の閾値とを比較する。閾値よりも空き容量値が大きい場合は処理を実行せず終了する。閾値よりも空き容量値が小さい場合は、ネットワークで接続される他の記録再生装置を検出するために制御部１０９に検出命令を送信し、ステップＳ５０２へ進む。
【００５９】
ステップＳ５０２において、制御部１０９は、空き容量判断部１０５から空き容量不足の通知を受けると、接続されている他の記録装置を検出する為に接続装置検出部１０８に対して準備完了状態の記録再生装置が存在するか否かを問合せさせる。接続装置検出部１０８は、通信ＩＦ部１０７を通じて接続する他の記録装置を検出する為の通信を実施し、検出結果を制御部１０９へ返す。接続する装置が検出されなかった場合、接続装置検出部１０８は制御部１０９へ通知し、ステップ５１１へ進む。接続する記録再生装置が検出された場合、制御部１０９は移動優先度付与部１０６に通知し、ステップ５０３へ進む。
【００６０】
ステップＳ５０３において、移動優先度付与部１０６は、ＨＤＤ１０４に記録されている各コンテンツを残存コピー可能回数の少ない順に移動優先度を高く設定して、その優先度を各コンテンツ付与し、ステップＳ５０４に進む。
【００６１】
ステップＳ５０４において、移動優先度付与部１０６は、ＨＤＤ１０４に記録されている残存コピー可能回数０回の各コンテンツの管理情報に含まれるダビング１０、コピーワンス、コピーＩＮを示す属性情報から各コンテンツに優先度を付ける。
【００６２】
ステップＳ５０５において、制御部１０９は、Ｓ３０４で設定した優先度に基づき移動対象とするコンテンツを選択し、Ｓ３０６に進む。
【００６３】
ステップＳ５０６において、制御部１０９は、選択したコンテンツが、記憶部に存在するか判定する。移動対象のコンテンツが記憶部にない場合、ステップＳ５１２に進む。移動対象のコンテンツが記憶部に存在する場合、ステップ５０７へ進む。
【００６４】
ステップＳ５０７において、表示部１１２は、ユーザに対し移動対象のコンテンツを移動するか問い合わせる。ユーザが移動しないと判定した場合、次に優先度の高いコンテンツを対象としてステップＳ５０６からの処理を実行する。ユーザが移動すると判定した場合、ステップＳ５０８に進む。
【００６５】
ステップＳ５０８において、コンテンツ移動部１１４は、通信ＩＦ部１０７を介しＨＤＤ１０４に記録されている対象のコンテンツを他の記録装置へ移動し、ステップＳ５０９に進む。
【００６６】
ステップ５０９において、移動完了後、空き容量判断部１０５は、空き容量値が閾値より大きいか判定する。空き容量判断部１０５が空き容量値が閾値より小さいと判定した場合、ステップＳ５１０へ進む。空き容量判断部１０５が空き容量値が閾値より大きいと判定した場合、処理を終了する。
【００６７】
ステップＳ５１０において、空き容量判断部１０５、まだ選択されていない別のコンテンツの中で次に移動優先度の高いコンテンツを選択する。そして制御部１０９は、次に移動優先度の高いコンテンツが記憶部に存在するか否かを確認し、その確認の結果そのコンテンツが存在しなければ、次に優先度のコンテンツを選択し、ステップＳ５０６からの処理を繰り返す。空き容量判断部１０５が空き容量値が閾値より大きいと判定した場合、処理を終了する。
【００６８】
ステップＳ５１１において、制御部１０９は表示部１１２を通じて接続する記録装置が検出できなかったことを伝える。そしてステップ５１２へ進む。
【００６９】
ステップＳ５１２において、表示部１１２は、記録装置の空き容量が不足していることをユーザに示し処理を終了する。
【００７０】
図６は、実施形態２における、残存コピー可能回数に基づき移動優先度付与部１０６が設定したコンテンツごとの移動優先順位を示す図である。
【００７１】
ここで、放送コンテンツはＨＤＤ１０４に記録されているコンテンツを示す。また、残存コピー可能回数はコンテンツが保持する残存コピー可能回数を示す。更に、属性はコンテンツの属性であり、ダビング１０、コピーワンス、コピーＩＮで示される。
【００７２】
残存コピー可能回数が等しいコンテンツは、同等の移動優先順位が割り当てられる。移動優先順位が等しいコンテンツは、任意のコンテンツを移動対象として選択してよい。但し、残存コピー可能回数０回のコンテンツは、属性情報に基づき優先順位が割り当てられる。
【００７３】
以上のように、実施形態２においては、記憶部に３種類のコンテンツの属性情報をもつ複数のコンテンツが混在して記録されている場合に対しても、その属性情報を用いて移動の優先順位が設定できる。この優先順位の設定により、ユーザは、コピーをする権利を無駄に失うことなく、各コンテンツを他の装置に移動することができる。
＜実施形態３＞
本発明の実施形態３における構成を説明する。
【００７４】
（実施形態３の構成）
図７は、本発明の実施形態３における記録再生装置の構成を示すブロック図である。この図７における記録再生装置３００の構成の中で、図１および図４と同じ機能を有するブロックの表示番号は、図１および図２と同じ表示番号を用いている。ここでは、図１または図２の構成における機能ブロックと同一のブロックの説明を省略する。
【００７５】
図７に示すように、タイマー７０１は、再生された日時や記録された日時をコンテンツの管理情報に付与する。
【００７６】
ユーザ要求分析部７０２は、ＨＤＤ１０４に格納された管理情報である各コンテンツの残存コピー可能回数、再生日時の履歴、コピー日時の履歴に基づき、コンテンツに対するユーザの要求を分析する。
【００７７】
処理決定部７０３は、コンテンツの移動処理決定手段であり、ユーザ要求分析部７０２において分析されたユーザ要求を元にＨＤＤ１０４の空き容量を増やす為の処理を決定する。この処理は、移動、バックアップ、バックアップとコピー、２回コピーして削除などから構成される。この管理情報は、各コンテンツの残存コピー可能回数、コンテンツ属性判定部４０１におけるコンテンツ属性情報およびコンテンツの再生時間、コピー時間、記録時間からなるコンテンツに対する操作を示す情報から構成される。
【００７８】
コンテンツ処理部７０４は、制御部１０９からの指示に基づきＨＤＤ１０４に記録されているコンテンツのコピー、移動、バックアップ処理などを行う。
【００７９】
次に、実施形態３における記録再生装置の動作を説明する。
【００８０】
（記録再生装置の動作フロー）
図８は、実施形態３における録画再生装置がコンテンツを録画する動作を説明するフローチャートを示す図である。
【００８１】
ステップＳ８０１において、空き容量判断部１０５は、録画の開始要求が発生するとコンテンツが記録されているＨＤＤの空き容量値と閾値格納部１１０に格納されている閾値とを比較する。閾値よりも空き容量値が大きい場合は処理を実行せず終了する。閾値よりも空き容量値が小さい場合は、ネットワークで接続される他の記録再生装置を検出するために制御部１０９に検出命令を送信し、ステップＳ８０２へ進む。
【００８２】
ステップＳ８０２において、制御部１０９は、空き容量判断部１０５からの空き容量不足の通知を受けると、接続されている他の記録装置を検出する為に接続装置検出部１０８に対して準備完了状態の記録再生装置が存在するか否かを問合せさせる。接続装置検出部１０８は、通信ＩＦ部１０７を通じて接続する他の記録装置を検出する為の通信を実施し、検出結果を制御部１０９へ返す。接続する装置が検出されなかった場合、接続装置検出部１０８は制御部１０９へ通知し、ステップ８１５へ進む。接続する記録再生装置が検出された場合、制御部１０９は移動優先度付与部１０６に通知し、ステップ８０３へ進む。
【００８３】
ステップＳ８１５において、制御部１０９は表示部１１２を通じて接続する記録装置が検出できなかったことを伝える。そしてステップ８１６へ進む。
【００８４】
ステップＳ８１６において、表示部１１２は、記録装置の空き容量が不足していることをユーザに示し処理を終了する。
【００８５】
ステップＳ８０３において、移動優先度付与部１０６は、ＨＤＤ１０４に記録されている各コンテンツを残存コピー可能回数の少ない順に移動優先度を高く設定して、その優先度を各コンテンツ付与し、ステップＳ８０４に進む。
【００８６】
ステップＳ８０４において、移動優先度付与部１０６は、ＨＤＤ１０４に記録されている残存コピー可能回数０回の各コンテンツの管理情報に含まれるダビング１０、コピーワンス、コピーＩＮを示す属性情報から各コンテンツに優先度を付ける。
【００８７】
ステップＳ８０５において、制御部１０９は、Ｓ８０４で設定した優先度に基づき移動対象とするコンテンツを選択し、Ｓ８０６に進む。
【００８８】
ステップＳ８０６において、制御部１０９は、選択したコンテンツが、記憶部に存在するか判定する。移動対象のコンテンツが記憶部にない場合、ステップＳ８１６に進む。移動対象のコンテンツが記憶部に存在する場合、ステップ８０７へ進む。
【００８９】
ステップＳ８０７において、制御部１０９は、処理対象とするコンテンツの残存コピー可能回数が０回か判定する。残存コピー可能回数が０回の場合、ステップＳ８１３へ進む。残存コピー可能回数が０回でない場合、ステップＳ８０８へ進む。
【００９０】
ステップＳ８０８において、ユーザ要求分析部７０２は、コンテンツに対する過去の視聴履歴や録画日時および残存コピー可能回数に基づきユーザ要求を分析する。分析結果、制御部１０９は“移動（ムーブ）”、“バックアップ”、“コピーとバックアップ”および“２回コピーして削除”のいずれかを決定する。
【００９１】
ステップＳ８０９において、処理決定部７０３は、残存コピー可能回数とコンテンツに対するコピー履歴、再生履歴、記録日時より分析したユーザ要求に基づき、空き容量を増やすための処理を決定する。例えば、コンテンツに対して「すぐに視聴したい」かつ「将来、コピーや視聴したい」といったユーザ要求がある場合、空き容量を増やすための処理は“コピーとバックアップ”となる。
【００９２】
ステップＳ８１０において、処理候補が決定された後、処理対象のコンテンツが記憶部に存在する場合、表示部１１２は、処理するコンテンツをユーザに表示し、このコンテンツを処理するか問い合わせる。ここで、この処理は上記Ｓ８０９またはＳ８１３で決定した処理を言う。ユーザが処理しないと判定した場合、次に優先度の高いコンテンツを対象としてＳ８０６からの処理を実行する。ユーザが処理すると判定した場合、ステップＳ８１１に進む。
【００９３】
ステップＳ８１１において、コンテンツ処理部７０４は、ＨＤＤ１０４に記録されている対象のコンテンツを通信ＩＦ部１０７経由で他の装置へ移動する。
【００９４】
ステップＳ８１２において、空き容量判断部１０５は、空き容量値が閾値より大きいか判定する。空き容量判断部１０５が空き容量値が閾値より小さいと判定した場合、ステップＳ８１４に進む。空き容量判断部１０５が空き容量値が閾値より大きいと判定した場合、処理を終了する。
【００９５】
ステップＳ８１３において、制御部１０９は、空き容量を増やす処理として“移動”を設定する。
【００９６】
ステップＳ８１４において、空き容量判断部１０５は、同一優先度のまだ選択されていない別のコンテンツを選択するか、もし同一優先度のコンテンツがなければ、次の優先度のコンテンツを選択し、Ｓ８０６からの処理を繰り返す。
【００９７】
（コンテンツに対する処理）
図９は、実施形態３におけるユーザ要求とコンテンツに対する処理の対応の例を示す図である。図に示すように、ユーザ要求の選択として“すぐ視聴したい”、“すぐコピーしたい”および“将来コピーや視聴したい”が示されている。例えば、コンテンツ１の場合、“すぐ視聴したい”、“すぐコピーしたい”および“将来コピーや視聴したい”のすべてが要求される場合は、“コピーとバックアップ“の処置が選択されていることがわかる。
【００９８】
ここで、バックアップとは、他の記録再生装置へコンテンツをコピーすることであり、コピー元の記録再生装置およびコピー先の記録再生装置からはコピーしたコンテンツは視聴や編集は不可能となる。またコンテンツの視聴やコピーの要求がある場合は、バックアップ先の記録再生装置からバックアップを実施した記録再生装置へコンテンツを移動する必要がある。バックアップは一時的にコンテンツの視聴やコピーが不可能となるが、空き容量が増えたときにコンテンツをバックアップ元の記録再生装置へ戻すことで、残存コピー可能回数の減少を回避することが可能となる。
【００９９】
管理情報からユーザ要求を分析する手順を以下に示す。
【０１００】
ユーザ要求分析部７０２は、ユーザが、“すぐに視聴したい”、“すぐにコピーしたい”、“将来コピーや視聴したい”のいずれかを要求しているのかを分析する。例えば、コンテンツの残存コピー可能回数が９回と一度もコピーされておらず、かつ一週間以内に再生された履歴がない場合、“すぐに視聴したい”要求があると分析する。（この場合は、図９において“すぐに視聴したい”の欄での“○”が該当する。）また、コンテンツが最近コピーされた履歴がなく、かつ一週間以内に録画された場合、“すぐにコピーしたい”要求があると分析する。（この場合は、図９において“すぐにコピーしたい”の欄での“○”が該当する。）更にコンテンツの残存コピー可能回数が５回以上と多く残っている場合、“将来コピーや視聴したい”要求があると分析する。（この場合は、図９において“将来、コピーや視聴したい”の欄での“○”が該当する。）
なお、ユーザ要求として、“すぐ視聴したい”、“すぐコピーしたい”、“将来コピーや視聴したい”としたが、ここで示したユーザ要求の例によりコンテンツに対するユーザの要求を限定するものではない。また、空き容量を増やす処理として“移動”、“バックアップ”、“コピーとバックアップ”、“２回コピーして削除”を挙げたが、他に“削除”、“３回コピーして削除”などの記録装置の空き容量を増やす処理でも良い。
【０１０１】
以上のように、実施形態３では、タイマーを備えることで再生された日時やコピーされた日時の時間履歴を取得する。残存コピー可能回数とこれらの時間履歴とを含めてユーザの要求を分析することで、コンテンツに対するユーザの処理要求を抽出する。この形態をとることで、本発明は、コンテンツに対する処理を標準処理に限らず、ユーザの希望に応じて処理内容を変更できるので、処理に柔軟度を与える効果を有する。
【０１０２】
＜他の実施形態＞
本発明は、前述した実施形態の機能を実現するプログラムを、システム或いは装置に直接或いは遠隔から供給し、そのシステム或いは装置が、供給されたコンピュータプログラムのコードを読み出して実行することによっても達成される。従って、本発明の機能処理をコンピュータで実現するために、コンピュータにインストールされるコンピュータプログラムのコード自体も本発明の技術的範囲に含まれる。
【０１０３】
その場合、プログラムの機能を有していれば、オブジェクトコード、インタプリタにより実行されるプログラム、ＯＳに供給するスクリプトデータ等、プログラムの形態を問わない。
【０１０４】
プログラムを供給するための記憶媒体としては、例えば、フロッピー（登録商標）ディスク、ハードディスク、光ディスク（ＣＤ、ＤＶＤ）、光磁気ディスク、磁気テープ、不揮発性のメモリカード、ＲＯＭなどがある。
【０１０５】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【０１０６】
さらに、記憶媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【０１０７】
【図１】実施形態１における記録再生装置の構成を示すブロック図である。
【図２】実施形態１における記録再生装置の処理手順を示すフローチャート図である。
【図３】実施形態１におけるコンテンツの優先度を示す図である。
【図４】実施形態２における記録再生装置の構成を示すブロック図である。
【図５】実施形態２における記録再生装置の処理手順を示すフローチャート図である。
【図６】実施形態２におけるコンテンツの優先度を示す図である。
【図７】実施形態３における記録再生装置の構成を示すブロック図である。
【図８】実施形態３における記録再生装置の処理手順を示すフローチャート図である。
【図９】実施形態３におけるユーザ要求とコンテンツに対する処理の対応を示す図である。
【符号の説明】
【０１０８】
１０１  アンテナ
１０２  チューナ
１０３  記録部
１０４  ＨＤＤ
１０５  空き容量判断部
１０６  移動優先度付与部
１０７  通信ＩＦ部
１０８  接続装置検出部
１０９  制御部
１１０  閾値格納部
１１１  ユーザＩＦ部
１１２  表示部
１１３  再生部
１１４  コンテンツ移動部
４０１  コンテンツ属性判定部
７０１  タイマー
７０２  ユーザ要求判定部
７０３  処理決定部
７０４  コンテンツ処理部
【図１】
2010109493.tif 000003
【図２】
2010109493.tif 000004
【図３】
2010109493.tif 000005
【図４】
2010109493.tif 000006
【図５】
2010109493.tif 000007
【図６】
2010109493.tif 000008
【図７】
2010109493.tif 000009
【図８】
2010109493.tif 000010
【図９】
2010109493.tif 000011